(57)【要約】【目的】  カード所有者側は自己のカードのみを用いた簡単な操作でカード情報とともに意思情報をも提示でき、サービス提供者側はそれらカード情報および意思情報に基づいたより適切且つ高度なサービスを提供することのできる、サービス提供システムおよびカードリーダ配置方法を提供する。【構成】  サービス提供場所において配置されている非接触型カードリーダ（２）により非接触型カード（４）のカード情報を読み取り、当該カード情報に基づいてカード所有者にサービスを提供するサービス提供システムであって、サービス提供場所において当該サービスに関連した相互位置関係を持って、且つその相互位置関係が当該サービスとの関連性をカード所有者に直感的に提示可能となるように、複数の前記非接触型カードリーダ（２）が配置されている。【選択図】図１
2005135335.tif 000002
【特許請求の範囲】
【請求項１】
サービス提供場所において配置されている非接触型カードリーダにより非接触型カードのカード情報を読み取り、当該カード情報に基づいてカード所有者にサービスを提供するサービス提供システムであって、
サービス提供場所において当該サービスに関連した相互位置関係を持って、且つその相互位置関係が当該サービスとの関連性をカード所有者に直感的に提示可能となるように、複数の前記非接触型カードリーダが配置されていることを特徴とするサービス提供システム。
【請求項２】
前記相互位置関係は、非接触型カードリーダが一列に配置された関係であることを特徴とする請求項１記載のサービス提供システム。
【請求項３】
前記相互位置関係は、非接触型カードリーダが上下左右に配置された関係であることを特徴とする請求項１記載のサービス提供システム。
【請求項４】
前記相互位置関係は、非接触型カードリーダが円状に配置された関係であることを特徴とする請求項１記載のサービス提供システム。
【請求項５】
前記相互位置関係は、各非接触型カードリーダが文字入力キーボード状に配置された関係であることを特徴とする請求項１記載のサービス提供システム。
【請求項６】
前記相互位置関係は、各非接触型カードリーダが数値入力キーボード状に配置された関係であることを特徴とする請求項１記載のサービス提供システム。
【請求項７】
前記相互位置関係は、各非接触型カードリーダが格子状に配置された関係であることを特徴とする請求項１記載のサービス提供システム。
【請求項８】
前記相互位置関係は、各非接触型カードリーダがランダムに配置された関係であることを特徴とする請求項１記載のサービス提供システム。
【請求項９】
非接触型カードリーダにより非接触型カードのカード情報を読み取り、当該カード情報に基づいてカード所有者にサービスを提供するサービス提供システムにおける非接触型カードリーダのサービス提供場所への配置方法であって、
サービス提供場所において当該サービスに関連した相互位置関係を持って、且つその相互位置関係が当該サービスとの関連性をカード所有者に直感的に提示可能となるように、複数の前記非接触型カードリーダを配置することを特徴とするカードリーダ配置方法。
【請求項１０】
前記相互位置関係は、非接触型カードリーダを一列に配置した関係であることを特徴とする請求項９記載のカードリーダ配置方法。
【請求項１１】
前記相互位置関係は、非接触型カードリーダを上下左右に配置した関係であることを特徴とする請求項９記載のカードリーダ配置方法。
【請求項１２】
前記相互位置関係は、非接触型カードリーダを円状に配置した関係であることを特徴とする請求項９記載のカードリーダ配置方法。
【請求項１３】
前記相互位置関係は、各非接触型カードリーダを文字入力キーボード状に配置した関係であることを特徴とする請求項９記載のカードリーダ配置方法。
【請求項１４】
前記相互位置関係は、各非接触型カードリーダを数値入力キーボード状に配置した関係であることを特徴とする請求項９記載のカードリーダ配置方法。
【請求項１５】
前記相互位置関係は、各非接触型カードリーダを格子状に配置した関係であることを特徴とする請求項９記載のカードリーダ配置方法。
【請求項１６】
前記相互位置関係は、各非接触型カードリーダをランダム状に配置した関係であることを特徴とする請求項９記載のカードリーダ配置方法。
【発明の詳細な説明】
【技術分野】
【０００１】
この出願の発明は、非接触型カードおよび非接触型カードリーダを用いてカード所有者に各種サービスを提供する、サービス提供システムおよびカードリーダ配置方法に関するものである。
【背景技術】
【０００２】
従来、ＩＣカードを代表とする非接触型カードは、その所有者の持つＩＤや、サービス提供に関連した数値データなど、カード上に記載された情報をサービス提供者に伝達する用途に用いられてきた。このカード情報はサービス提供場所に配置されている非接触型カードにより読み取られ、サービス提供者の情報処理機器に提示されて、対応する各種サービスがカード所有者に提供される。
【発明の開示】
【発明が解決しようとする課題】
【０００３】
しかしながら、非接触型カードには所有者ＩＤなどの客観的な情報しか書き込まれておらず、非接触型カードリーダもその客観的カード情報を読み取るに過ぎないため、それに対応したサービスを提供できるにとどまっており、カード所有者の主観的な意思情報をも考慮したより適切なサービスの提供は実現されていない。
【０００４】
たとえば、サービス提供場所にてカードリーダにカード情報を読み取らせるだけでなく、その場でカード所有者が適宜「ＹｅｓかＮｏか」「ＡかＢか」「右か左か」といった選択や必要な数値入力などをも行うことができれば、より適切で高度なサービスの提供が可能になるのである。
【０００５】
この場合、カードをカードリーダにかざし、キーボード等により入力を行わせるといったことも考えられるが、別途のキーボード操作が必要になるため非常に煩わしく、またカードから手を離す必要があるため保安上も好ましくない。
【０００６】
そこで、以上のとおりの事情に鑑み、この出願の発明は、カード所有者側は自己のカードのみを用いた簡単な操作でカード情報とともに意思情報をも提示でき、サービス提供者側はそれらカード情報および意思情報に基づいたより適切且つ高度なサービスを提供することのできる、サービス提供システムおよびカードリーダ配置方法を提供することを課題としている。
【課題を解決するための手段】
【０００７】
この出願の発明は、上記の課題を解決するものとして、第１には、サービス提供場所において配置されている非接触型カードリーダにより非接触型カードのカード情報を読み取り、当該カード情報に基づいてカード所有者にサービスを提供するサービス提供システムであって、サービス提供場所において当該サービスに関連した相互位置関係を持って、且つその相互位置関係が当該サービスとの関連性をカード所有者に直感的に提示可能となるように、複数の前記非接触型カードリーダが配置されていることを特徴とするサービス提供システムを提供する。
【０００８】
第２には、前記相互位置関係は、非接触型カードリーダが一列に配置された関係であることを特徴とする前記サービス提供システムを提供する。
【０００９】
第３には、前記相互位置関係は、非接触型カードリーダが上下左右に配置された関係であることを特徴とする前記サービス提供システムを提供する。
【００１０】
第４には、前記相互位置関係は、非接触型カードリーダが円状に配置された関係であることを特徴とする前記サービス提供システムを提供する。
【００１１】
第５には、前記相互位置関係は、各非接触型カードリーダが文字入力キーボード状に配置された関係であることを特徴とする前記サービス提供システムを提供する。
【００１２】
第６には、前記相互位置関係は、各非接触型カードリーダが数値入力キーボード状に配置された関係であることを特徴とする前記サービス提供システムを提供する。
【００１３】
第７には、前記相互位置関係は、各非接触型カードリーダが格子状に配置された関係であることを特徴とする前記サービス提供システムを提供する。
【００１４】
第８には、前記相互位置関係は、各非接触型カードリーダがランダムに配置された関係であることを特徴とする前記サービス提供システムを提供する。
【００１５】
第９には、非接触型カードリーダにより非接触型カードのカード情報を読み取り、当該カード情報に基づいてカード所有者にサービスを提供するサービス提供システムにおける非接触型カードリーダのサービス提供場所への配置方法であって、サービス提供場所において当該サービスに関連した相互位置関係を持って、且つその相互位置関係が当該サービスとの関連性をカード所有者に直感的に提示可能となるように、複数の前記非接触型カードリーダを配置することを特徴とするカードリーダ配置方法を提供する。
【００１６】
第１０には、前記相互位置関係は、非接触型カードリーダを一列に配置した関係であることを特徴とする前記カードリーダ配置方法を提供する。
【００１７】
第１１には、前記相互位置関係は、非接触型カードリーダを上下左右に配置した関係であることを特徴とする前記カードリーダ配置方法を提供する。
【００１８】
第１２には、前記相互位置関係は、非接触型カードリーダを円状に配置した関係であることを特徴とする前記カードリーダ配置方法を提供する。
【００１９】
第１３には、前記相互位置関係は、各非接触型カードリーダを文字入力キーボード状に配置した関係であることを特徴とする前記カードリーダ配置方法を提供する。
【００２０】
第１４には、前記相互位置関係は、各非接触型カードリーダを数値入力キーボード状に配置した関係であることを特徴とする前記カードリーダ配置方法を提供する。
【００２１】
第１５には、前記相互位置関係は、各非接触型カードリーダを格子状に配置した関係であることを特徴とする前記カードリーダ配置方法を提供する。
【００２２】
第１６には、前記相互位置関係は、各非接触型カードリーダをランダム状に配置した関係であることを特徴とする前記カードリーダ配置方法を提供する。
【発明の効果】
【００２３】
上記第１のサービス提供システムによれば、カード所有者はサービス提供場所にて上記のとおりの相互位置関係をもって配置された非接触型カードリーダ（以下「リーダ」と略称）を見た際に、サービスとの関連性を直感的に認識でき、つまりそのリーダに対してどのように非接触型カード（以下「カード」と略称）をかざせばどのようなサービスが提供されるのかを直感的に認識することができるようになる。これにより、カード所有者側はその場で適宜の意思に従ってサービスに対する選択や文字・数値入力などを行うようにリーダにカードをかざすだけで、カード情報とともに意思情報をも提示でき、サービス提供者側はそれらカード情報および意思情報に基づいたより適切且つ高度なサービスを提供することができる。
【００２４】
上記第２のサービス提供システムによれば、上記第１のシステムと同様な効果が得られ、また、たとえば、建物内や乗物内、市街地等にて、画像とともに音を提供できるポスター、掲示板、ディスプレイ等の音出力機能付き広告媒体を設置し、各種広告情報を提供するといった広告サービスにおいて、広告媒体に複数のリーダを一列に配置させておき、カード所有者が自己のカードをリーダにその配置順になぞるようにかざす、あるいは所望のリーダにかざすことで、流れている音楽や音声説明等の広告音の音量を調整したり、広告画像の光量を調整したり、あるいは広告画像の大きさを調整したりすることが可能となり、そのカード所有者により適切な音量や光量、サイズ等の各種ボリュームでの広告サービスを提供できるようになる。このとき、カード所有者はカードをリーダに対して順になぞるようにかざすだけでよく、別途のボリュームスライダー操作などは不要で、カードから手を離す必要もない。また、たとえば、カードにより個人認証された特定管理者のみが室温を調整できるといった室温制御サービスの提供が考えられる場合に、部屋壁の適宜位置にリーダを一列に配置させておけば、そのリーダを特定管理者が自己のカードをリーダに順になぞるようにかざす、あるいは所望のリーダにかざすだけで、より適切な室温を提供できる。すなわち、このサービス提供システムによれば、カードならびにリーダを個人認証デバイスとしてだけではなく各種サービスに関連した調整デバイスとしても利用できるのである。
【００２５】
上記第３のサービス提供システムによれば、上記第１のシステムと同様な効果が得られ、また、リーダを上下左右に配置することで、たとえば、あたかもゲームパッドのような操作パッドが設けられてそれを操作しているような直感的印象をカード所有者に与えることができ、たとえば、カードを上下左右のうちの適宜のリーダにかざしてカード情報を読み取らせることで、提供されるサービスに関連したメニュー選択やＹｅｓ／Ｎｏ選択などの意思情報をもサービス提供者へ提示できるようになる。この場合にも、カードをリーダにかざすだけで、つまり適宜のリーダにカード情報を読み取らせるだけで、別途のパッド操作などは不要であり、カードおよびリーダが個人認証＋選択兼用デバイスとなる。
【００２６】
上記第４のサービス提供システムによれば、上記第１のシステムと同様な効果が得られ、また、リーダを円状に配置することで、たとえば、あたかもそこにアナログ時計状の時刻入力パッドが設けられてそれを操作して時刻情報入力しているような直感的印象をカード所有者に与えることができ、たとえば、円状に配置された１２枚のリーダにおいて所望の時間の位置にあるものにカードをかざしてカード情報を読み取らせ、続いて所望の分数の位置にあるものにカードをかざしてカード情報を読み取らせれば、カードのみで何時何分という時刻情報をサービス提供者に提示できる。サービス提供者側ではその時刻情報に従って適切なサービスを提供できる。たとえば、駅などにコンピュータディスプレイを設置して電車時刻表を提示するサービスが考えられる場合、ディスプレイのそばに１２枚のリーダを円状に配置しておき、定期券ＩＣカードによって１時３０分という時刻入力があった際に、定期券ＩＣカードに記憶されている駅における１時３０分の発着電車をディスプレイに表示させるなどが可能になる。この場合にも、カードをリーダかざすだけで、別途の時刻入力キー操作などは不要となる。また、時刻入力だけでなく、円グラフ状のデータ表示サービスが考えられる場合において、カードをかざすだけで適宜の割合を入力でき、その割合に従ったデータ表示を提示できるなど、様々なサービスにも適用可能であることは言うまでもない。
【００２７】
上記第５のサービス提供システムによれば、上記第１のシステムと同様な効果が得られ、また、リーダを文字入力キーボード状に配置することで、あたかもそこに文字入力キーボードが設けられてそれを操作して文字入力しているような直感的印象をカード所有者に与えることができ、たとえば、提供されるサービスに関連した簡単な文字列入力がカードを適宜のリーダにかざすだけで可能になる。
【００２８】
上記第６のサービス提供システムによれば、上記第１のシステムと同様な効果が得られ、また、リーダを数値入力キーボード状に配置することで、あたかもそこに数値入力キーボードが設けられてそれを操作して数値入力しているような直感的印象をカード所有者に与えることができ、たとえば、提供されるサービスに関連した数値入力がカードを適宜のリーダにかざすだけで可能になる。
【００２９】
上記第７のサービス提供システムによれば、上記第１のシステムと同様な効果が得られ、また、リーダを格子状に配置することで、あたかもそこに格子状に配分された入力キーが設けられてそれを操作しているような直感的印象をカード所有者に与えることができ、たとえば、提供されるサービスに関連した各種入力がカードを適宜のリーダにかざすだけで可能になる。この場合ではさらに、プログラマブルに任意の位置のリーダに任意の機能を付与することも可能になる。
【００３０】
上記第８のサービス提供システムによれば、上記第１のシステムと同様な効果が得られ、また、リーダをランダム状に配置することで、あたかもそこにランダム状に配分された入力キーが設けられてそれを操作しているような直感的印象をカード所有者に与えることができ、たとえば、提供されるサービスに関連した各種入力がカードを適宜のリーダにかざすだけで可能になる。
【００３１】
第９〜第１６のカードリーダ配置方法によれば、上記第１〜第８のサービス提供システムと同様な効果が得られ、サービス提供システムにおけるカードリーダ配置に従った直感的印象をカード所有者に与え、カードのみで各種サービスに関連する各種入力操作を行うことができるようになる。
【発明を実施するための最良の形態】
【００３２】
［第１の実施形態］
図１および図２は、各々、この出願の発明の一実施形態を示したものである。この実施形態では、音声付き動画公告を提示するスピーカー付きディスプレイに、複数の非接触型カードリーダ（２）（以下「リーダ（２）」と略称）が一列配置という相互位置関係を持って配設されており、この一列配置関係を持つ非接触型カードリーダ群（２０）（以下「リーダ群（２０）」と略称）によって、提供される音声の音量調整が可能であることをカード所有者に直感的に知らせることができるようになっている。
【００３３】
さらに説明すると、まず、サービス提供者側からカード所有者に提供されるサービスは音声付き動画公告であり、そのサービス提供媒体（１）としてスピーカー付きディスプレイが設置されている。
【００３４】
このスピーカー付きディスプレイの適宜位置には、横一列に配置された複数のリーダ（２）からなるリーダ群（２０）が設置されている。各リーダ（２）は、読取アンテナ、メモリ、出力インタフェース、ＣＰＵ等で構成される、バス（２５）で接続されたカード情報読取部（２１）、リーダＩＤ記憶部（２２）、データ出力部（２３）および処理部（２４）を有しており（図２参照）、予め設定された固有のリーダＩＤがリーダＩＤ記憶部（２３）に記憶され、カード情報読取部（２１）により非接触型カード（４）（以下「カード（４）」と略称）のカード情報を読み取った際に、処理部（２４）により自己のリーダＩＤをリーダＩＤ記憶部（２２）から読み出して、カード情報とともにデータ出力部（２３）から情報処理装置（３）へ無線もしくは有線で出力する。
【００３５】
リーダＩＤは、各リーダ（２）固有のもので、たとえば、ランダムに識別番号等が設定されていても、図中一番左側に位置するリーダ（２）から図中一番右側に位置するリーダ（２）へ順に、つまり最小音量を指定できるリーダ（２）から最大音量を指定できるリーダ（２）へ順に識別番号等が設定されていてもよい。
【００３６】
サービス提供者側のシステムには、上記リーダ（２）からのカード情報およびリーダＩＤを受けてサービス提供媒体（１）にて提供されるサービスを適宜適当なものに調整処理する情報処理装置（３）も備えられている。この情報処理装置（３）は、たとえば、入出力インタフェース、メモリ、ＣＰＵ等で構成される、バス（３５）で接続されたデータ入力部（３１）、データ記憶部（３２）、データ出力部（３３）および処理部（３４）を有しており（図２参照）、予め各リーダＩＤに対応するサービスデータをデータ記憶部（３２）に記憶し、上記カード（４）から出力されたカード情報およびリーダＩＤをデータ入力部（３１）により受け取った際に、処理部（３４）によりリーダＩＤに対応するサービスデータをデータ記憶部（３２）から読み出して、それを基に適切な音量の音声をサービス提供媒体（１）のスピーカーから出力させる。
【００３７】
サービスデータの具体例としては、たとえば、仮に５個のリーダ（２）が配置され、それぞれ順に「１」〜「５」の識別番号が設定されている場合において、各識別番号に対して順に大きくなる音量値「Ａ」〜「Ｅ」で音声公告サービスを提供できるようにするためのデータ、より具体的には音量値「Ａ」〜「Ｅ」を表す音量データや、音量値「Ａ」〜「Ｅ」に予め設定されている音声データなど、を考慮できる。そしてたとえば、これらデータをデータ出力部（３３）から音量調整手段（図示なし）やスピーカーへ出力し、適切な音量の音声を流すようにする。
【００３８】
これらサービス提供者側のリーダ（２）および情報処理装置（３）に対し、カード所有者が利用するカード（４）は、所有者ＩＤや数値データ等のカード情報をカード情報記憶部（４１）にて記憶しリーダ（２）に非接触で読み取らせることが可能なものであれば特に限定されず、既存のＩＣカード等をそのまま利用できる。
【００３９】
ここで、以上の構成におけるサービス提供について説明すると、まず、カード所有者は、音声付き動画公告が流れているサービス提供媒体（１）の前にてそれに具備されている横一列配置のカード群（２０）を見た際に、あたかもそこに音量調整スライダーのような操作手段があって、それにより音声の音量調整ができるということを直感的に理解することができる。そこでカード所有者は、カード（４）を左端のリーダ（２）から所望のリーダ（２）まで順次かざしていく、あるいは所望のリーダ（２）にかざす。これにより、カード（４）と各リーダ（２）との間でデータ送受が行われて、カード情報が各リーダ（２）により読み取られる。各リーダ（２）では、カード情報を読み取った際に自己のリーダＩＤおよびカード情報を情報処理装置（３）へ出力する。情報処理装置（３）では、各リーダ（２）から送られてきたリーダＩＤおよびカード情報を入力し、そのリーダＩＤに基づき適切な音量の音声をスピーカーから出力させる。
【００４０】
以上により、カード所有者は、自己のカード（４）のみを用い、それをかざすだけという非常に簡単な操作で、カード情報とともに、音量調整に対する意思情報をも提示でき、サービス提供者側は、それらカード情報および意思情報に基づいて適切に音量調整された音声での公告サービスを提供することができるのである。
【００４１】
なお、図１及び図２では、各リーダ（２）の外観サイズを、音量小から音量大に向けて徐々に大きくなるものとしており、これによれば、一列配置と相まって、カード所有者に音量調整可能であるということをより直感的に提示できるようになる。
【００４２】
［第２の実施形態］
第１の実施形態では、リーダ（２）側のリーダＩＤを識別番号等とし、情報処理装置（３）側のサービスデータをリーダＩＤ毎に対応させた音量データ等としているが、この他にも、たとえば、リーダＩＤ自体を音量値を表わす音量データ（音量指示データとも呼べる）としておき、カード（４）がかざされたリーダ（２）からリーダＩＤとしての音量データが送られてきた際に、情報処理装置（３）によりスピーカーから流れている音声をその音量データに従った音量に調整するようにしてもよい。
【００４３】
これらのように、リーダ（２）側のリーダＩＤや情報処理装置（３）側のサービスデータ、それらの対応関係や音量調整処理については、様々な実施形態が可能であるが、ここで重要なことは、カード（４）がかざされたときに、そのかざされたリーダ（２）に対応した音量の音声がサービス提供媒体（１）にて流れるようになっている、つまりリーダ群（２０）があたかもカード（４）のみで操作可能な音量調整スライダーとして機能することであり、それが可能な構成であれば特に限定されるものではない。
【００４４】
［第３の実施形態］
図３は、この出願の発明の別の一実施形態を示したものである。この実施形態では、画像公告を提示するサービス提供媒体（１）としてのディスプレイに、複数のリーダ（２）が横一列配置という相互位置関係を持って配設されており、この横一列配置関係を持つリーダ群（２０）によって、提供される画像の光量調整が可能であることをカード所有者に直感的に知らせることができるようになっている。
【００４５】
リーダ（２）および情報処理装置（３）についての詳細な構成は第１、第２の実施形態とほぼ同じであるが、調整対象が画像広告サービスにおける画像光量であるので、それに伴う構成変更は当然必要となる。ただし、ここで重要なことは、カード（４）がかざされたときに、そのかざされたリーダ（２）に対応した光量の画像がサービス提供媒体（１）にて流れるようになっている、つまりリーダ群（２０）があたかもカード（４）のみで操作可能な光量調整スライダーとして機能することであり、それが可能な構成であれば特に限定されるものではない。
【００４６】
この場合のサービス提供について説明すると、まず、カード所有者は、画像公告が流れているサービス提供媒体（１）の前にてそれに具備されている横一列配置のカード群（２０）を見た際に、あたかもそこに光量調整スライダーのような操作手段があって、それにより画像の光量調整ができるということを直感的に理解することができる。そこでカード所有者は、カード（４）を左端のリーダ（２）から所望のリーダ（２）まで順次かざしていく、あるいは所望のリーダ（２）にかざす。これにより、カード（４）と各リーダ（２）との間でデータ送受が行われて、カード情報が各リーダ（２）により読み取られる。各リーダ（２）では、カード情報を読み取った際に自己のリーダＩＤ（予め割り振られている識別番号や光量指示データなど）およびカード情報を情報処理装置（３）へ出力する。情報処理装置（３）では、各リーダ（２）から送られてきたリーダＩＤおよびカード情報を入力し、そのリーダＩＤに基づき適切な光量の画像をディスプレイに表示させる。
【００４７】
以上により、カード所有者は、自己のカード（４）のみを用い、それをかざすだけという非常に簡単な操作で、カード情報とともに、光量調整に対する意思情報をも提示でき、サービス提供者側は、それらカード情報および意思情報に基づいて適切に光量調整された画像公告サービスを提供することができるのである。
【００４８】
なお、図３でも、各リーダ（２）の外観サイズを、光量小から光量大に向けて徐々に大きくなるものとしており、これによれば、一列配置と相まって、カード所有者に光量調整可能であるということをより直感的に提示できるようになる。
【００４９】
［第４の実施形態］
図４は、この出願の発明の別の一実施形態を示したものである。この実施形態では、画像公告を提示するサービス提供媒体（１）としてのディスプレイに、複数のリーダ（２）が横一列配置という相互位置関係を持って配設されており、この横一列配置関係を持つリーダ群（２０）によって、提供される画像の表示サイズ調整が可能であることをカード所有者に直感的に知らせることができるようになっている。
【００５０】
リーダ（２）および情報処理装置（３）についての詳細な構成は第１〜第３の実施形態とほぼ同じであるが、調整対象が画像広告サービスにおける画像表示サイズであるので、それに伴う構成変更は当然必要となる。ただし、ここで重要なことは、カード（４）がかざされたときに、そのかざされたリーダ（２）に対応したサイズの画像がサービス提供媒体（１）にて流れるようになっている、つまりリーダ群（２０）があたかもカード（４）のみで操作可能な表示サイズ調整スライダーとして機能することであり、それが可能な構成であれば特に限定されるものではない。
【００５１】
この場合のサービス提供について説明すると、まず、カード所有者は、画像公告が流れているサービス提供媒体（１）の前にてそれに具備されている横一列配置のカード群（２０）を見た際に、あたかもそこに画像サイズ調整スライダーのような操作手段があって、それにより画像の表示サイズ調整ができるということを直感的に理解することができる。そこでカード所有者は、カード（４）を左端のリーダ（２）から所望のリーダ（２）まで順次かざしていく、あるいは所望のリーダ（２）にかざす。これにより、カード（４）と各リーダ（２）との間でデータ送受が行われて、カード情報が各リーダ（２）により読み取られる。各リーダ（２）では、カード情報を読み取った際に自己のリーダＩＤ（予め割り振られている識別番号やサイズ指示データなど）およびカード情報を情報処理装置（３）へ出力する。情報処理装置（３）では、各リーダ（２）から送られてきたリーダＩＤおよびカード情報を入力し、そのリーダＩＤに基づき適切なサイズの画像をディスプレイに表示させる。
【００５２】
以上により、カード所有者は、自己のカード（４）のみを用い、それをかざすだけという非常に簡単な操作で、カード情報とともに、サイズ調整に対する意思情報をも提示でき、サービス提供者側は、それらカード情報および意思情報に基づいて適切にサイズ調整された画像公告サービスを提供することができるのである。
【００５３】
なお、図４でも、図１〜図３と同様に、各リーダ（２）の外観サイズを、サイズ小からサイズ大に向けて徐々に大きくなるものとしており、これによれば、一列配置と相まって、カード所有者にサイズ調整可能であるということをより直感的に提示できるようになる。
【００５４】
［第５の実施形態］
図５は、この出願の発明の別の一実施形態を示したものである。この実施形態では、カード（４）により個人認証された者のみが室温を調整できるといった室温制御サービスあるいは空間管理サービスが提供される場合において、部屋壁の適宜位置に複数のリーダ（２）が縦一列配置という相互位置関係を持って配設されており、この縦一列配置関係を持つリーダ群（２０）によって、室温が調整可能であることをカード所有者に直感的に知らせることができるようになっている。
【００５５】
本実施形態においても、リーダ（２）および情報処理装置（３）についての詳細な構成は第１〜第４の実施形態とほぼ同じであり、室温調整に対応させればよいだけである。ここで重要なことは、カード（４）がかざされたときに、そのかざされたリーダ（２）に対応した室温に設定されるようになっている、つまりリーダ群（２０）があたかもカード（４）のみで操作可能な室温調整スライダーとして機能することであり、それが可能な構成であれば特に限定されるものではない。
【００５６】
この場合のサービス提供について説明すると、カード所有者は、対象の部屋に入って室温調整したいと思った場合に、自己のカード（４）を一番上のリーダ（２）から所望のリーダ（２）まで順次かざしていく、あるいは所望のリーダ（２）にかざす。これにより、カード（４）と各リーダ（２）との間でデータ送受が行われて、カード情報が各リーダ（２）により順に読み取られる。各リーダ（２）では、カード情報を読み取った際に自己のリーダＩＤ（予め割り振られている識別番号や室温指示データなど）およびカード情報を情報処理装置（３）へ出力する。情報処理装置（３）では、各リーダ（２）から送られてきたリーダＩＤおよびカード情報を入力し、カード情報によってカード所有者の個人認証を行うと同時に、リーダＩＤに基づき適切な室温に設定させる。もちろん室温はエアコンディショナー等の冷暖房機器により調整されるので、室温設定信号を情報処理装置（３）のデータ出力部（３３）から冷暖房機器に送るようにすればよい。
【００５７】
以上により、カード所有者は、自己のカード（４）のみを用い、それをかざすだけという非常に簡単な操作で、カード情報とともに、サイズ調整に対する意思情報をも提示でき、サービス提供者側は、それらカード情報に基づいた個人認証と同時に、意思情報に基づいた適切な室温制御サービスを提供することができるのである。
【００５８】
なお、図５でも、図１〜図４と同様に、各リーダ（２）の外観サイズを、サイズ小からサイズ大に向けて徐々に大きくなるものとしており、これによれば、一列配置と相まって、カード所有者に室温調整可能であるということをより直感的に提示できるようになる。
【００５９】
［第６の実施形態］
図６は、この出願の発明の別の一実施形態を示したものである。この実施形態では、カード（４）により個人認証された者のみが窓の開閉を調整できるといった窓開閉制御サービスあるいは空間管理サービスが考えられる場合において、部屋壁の適宜位置に複数のリーダ（２）が縦一列配置という相互位置関係を持って配設されており、この横一列配置関係を持つリーダ群（２０）によって、窓開閉が調整可能であることをカード所有者に直感的に知らせることができるようになっている。
【００６０】
本実施形態においても、リーダ（２）および情報処理装置（３）についての詳細な構成は第１〜第５の実施形態とほぼ同じであり、窓開閉に対応させればよいだけである。ここで重要なことは、カード（４）がかざされたときに、そのかざされたリーダ（２）に対応した開閉度合いで窓が開閉制御されるようになっている、つまりリーダ群（２０）があたかもカード（４）のみで操作可能な窓開閉スライダーとして機能することであり、それが可能な構成であれば特に限定されるものではない。
【００６１】
この場合のサービス提供について説明すると、カード所有者は、対象の部屋に入って窓を開閉調整したいと思った場合に、自己のカード（４）を一番上のリーダ（２）から所望のリーダ（２）まで順次かざしていく、あるいは所望のリーダ（２）にかざす。これにより、カード（４）と各リーダ（２）との間でデータ送受が行われて、カード情報が各リーダ（２）により読み取られる。各リーダ（２）では、カード情報を読み取った際に自己のリーダＩＤ（予め割り振られている識別番号や、開閉量指示データ（たとえば「全開」「７分開き」「５分開き」「３部開き」「完閉」）など）およびカード情報を情報処理装置（３）へ出力する。情報処理装置（３）では、各リーダ（２）から送られてきたリーダＩＤおよびカード情報を入力し、カード情報によってカード所有者の個人認証を行うと同時に、リーダＩＤに基づき適切な開閉量に窓を開閉させる。もちろん窓の開閉は開閉電動機器等により調整されるので、開閉信号を情報処理装置（３）のデータ出力部（３３）から開閉機器に送るようにすればよい。
【００６２】
以上により、カード所有者は、自己のカード（４）のみを用い、それをかざすだけという非常に簡単な操作で、カード情報とともに、窓開閉に対する意思情報をも提示でき、サービス提供者側は、それらカード情報に基づいた個人認証と同時に、意思情報に基づいた適切な窓開閉サービスを提供することができるのである。
【００６３】
［第７の実施形態］
図７は、この出願の発明の別の一実施形態を示したものである。この実施形態では、画像広告を提示するサービス提供媒体（１）としてのディスプレイの近傍に、複数のリーダ（２）が上下左右配置という相互位置関係を持って配設されており、この上下左右配置関係を持つリーダ群（２０）によって、提供される画像広告に関するメニュー選択が可能であることをカード所有者に直感的に知らせることができるようになっている。
【００６４】
より具体的には、たとえば、ディスプレイにメニュー選択画面が選択枠やカーソルなどとともに表示されており、そのカーソル等を移動させることで所望の選択肢を選択して、その選択肢に対応する画像広告を表示させるといったサービスが提供される場合において、上下左右の各リーダ（２）にはそれぞれのリーダＩＤとして上指示データ、下指示データ、右指示データ、左指示データを設定し、リーダＩＤ記憶部（２２）に記憶させておき、情報処理装置（３）のサービスデータ記憶部（３２）には、選択された選択肢に対応する画像データを予め記憶させておく。仮にカード（４）が上位置のリーダ（２）にかざされると、そのリーダ（２）から上指示データが情報処理装置（３）のデータ入力部（３１）へ送られ、それに基づいて処理部（３４）はメニュー選択画面の選択枠等を一つ左の選択肢に移動させるとともに、その選択肢に対応した画像データをサービスデータ記憶部（３２）から読み出し、データ出力部（３３）からディスプレイに出力して表示させる。同様な処理が下左右の選択時にも行われる。
【００６５】
以上により、カード所有者は、自己のカード（４）のみを用い、それをかざすだけという非常に簡単な操作で、カード情報とともに、メニュー選択に対する意思情報をも提示でき、サービス提供者側は、この意思情報に基づいた適切な画像広告を提供するサービスを実現できるようになる。もちろん、カード情報に基づいた個人認証も同時に行うことで、特定のカード（４）に対してのみ、あるいは特定のカード所有者に対してのみ、このような広告画像選択サービスを提供するといった実施形態も可能である。この場合、たとえば、情報処理装置（３）の処理部（３４）によりカード情報に基づいて個人認証が行われ、その認証の適否判断に従って選択枠等の移動及び画像表示を行う。
【００６６】
本実施形態においても、リーダ（２）および情報処理装置（３）などの詳細な構成は様々なものが可能であるが、ここで重要なことは、カード（４）がかざされたときに、そのかざされたリーダ（２）に対応したメニュー選択がなされるようになっている、つまりリーダ群（２０）があたかもカード（４）のみで操作可能なメニュー選択パッドとして機能することであり、それが可能な構成であれば特に限定されるものではない。
【００６７】
［第８の実施形態］
図８は、この出願の発明の別の一実施形態を示したものである。この実施形態では、時刻表を提示するサービス提供媒体（１）としてのディスプレイの近傍に、１２枚のリーダ（２）が円状配置という相互位置関係を持って配設されており、この円状配置関係を持つリーダ群（２０）によって、提供される時刻表の時間設定が可能であることをカード所有者に直感的に知らせることができるようになっている。
【００６８】
より具体的には、たとえば、ディスプレイに時刻設定画面と時刻表画面が表示されており、所望の時刻を設定して、その時刻に対応する時刻表を表示させるといったサービスが提供される場合において、１２枚円状配置の各リーダ（２）にはそれぞれのリーダＩＤとして「１」〜「１２」を示す時刻データを設定し、リーダＩＤ記憶部（２２）に記憶させておき、情報処理装置（３）のサービスデータ記憶部（３２）には、設定された時刻に対応する時刻表データを予め記憶させておく。仮にカード（４）が１時位置のリーダ（２）にかざされると、そのリーダ（２）から時刻データ「１」が情報処理装置（３）のデータ入力部（３１）へ送られ、それに基づいて処理部（３４）は１時台の時刻表データをサービスデータ記憶部（３２）から読み出し、データ出力部（３３）からディスプレイに出力して表示させる。続いて、同じカード情報を持つカード（４）が６時位置のリーダ（２）にかざされると、そのリーダ（２）から時刻データ「６」が情報処理装置（３）に送られて、それに基づいて先に設定された１時台のさらに３０分台の時刻表データのみをディスプレイに表示させる。
【００６９】
このように、同じカード情報を持つカード（４）が続けてかざされた場合には、２つの時刻データが同じカード情報と一緒に続けて送られてくることになるので、たとえば、情報処理装置（３）の処理部（３４）により、カード情報の一致判断をして、先の時刻データは「時」の指定、後の時刻データは「分」の指定という認定を行い、それに基づいて○時○分（上記では１時３０分）台の時刻表データをサービスデータ記憶部（３２）から検索して、それをデータ出力部（３３）からディスプレイに出力して表示させればよい。
【００７０】
また、たとえばカード（４）が定期券ＩＣカードの場合、それには利用駅の情報もカード情報として記憶されているので、その利用駅情報をも同時に利用して、利用駅における上記指定された○時○分の発着電車の時刻表を表示させるといったサービス提供も可能である。
【００７１】
以上により、カード所有者は、自己のカード（４）のみを用い、それをかざすだけという非常に簡単な操作で、カード情報とともに、時刻表表示の時刻設定に対する意思情報をも提示でき、サービス提供者側は、これらカード情報および意思情報に基づいたより適切な時刻表表示を提供するサービスを実現できるようになる。
【００７２】
本実施形態においても、リーダ（２）および情報処理装置（３）などの詳細な構成は様々なものが可能であるが、ここで重要なことは、カード（４）がかざされたときに、そのかざされたリーダ（２）に対応した時刻設定がなされるようになっている、つまりリーダ群（２０）があたかもカード（４）のみで操作可能な時刻設定手段として機能することであり、それが可能な構成であれば特に限定されるものではない。
【００７３】
［第９の実施形態］
もちろん、円状配置については、１２枚のリーダ（２）を用いた時刻設定による時刻表提示サービスの実施形態に限定されるものではなく、時刻設定により提示できるデータつまり時刻に関連したデータを提示する様々なサービスに適用でき、また、たとえば図９に例示したように、複数のリーダ（２）を円状に配置させて、ディスプレイに表示されている円グラフに対する割合を任意に設定して、それに対応するデータを表示させるといったサービス提供も可能である。
【００７４】
より具体的には、たとえば、円グラフが表示されており、所望の割合を設定して、その割合に対応する各種データを表示させるといったサービスが提供される場合において、１０枚円状配置の各リーダ（２）にそれぞれのリーダＩＤとして「１０％」〜「１００％」を示す割合データを設定し、リーダＩＤ記憶部（２２）に記憶させておき、情報処理装置（３）のサービスデータ記憶部（３２）には、設定された割合に対応する統計データ等の各種データを予め記憶させておく。仮にカード（４）が４０％位置のリーダ（２）にかざされると、そのリーダ（２）から割合データ「４０」が情報処理装置（３）のデータ入力部（３１）へ送られ、それに基づいて処理部（３４）は４０％の統計データ等をサービスデータ記憶部（３２）から読み出し、データ出力部（３３）からディスプレイに出力して表示させる。
【００７５】
これにより、カード所有者は、自己のカード（４）のみを用い、それをかざすだけという非常に簡単な操作で、カード情報とともに、割合設定に対する意思情報をも提示でき、サービス提供者側は、これらカード情報および意思情報に基づいたより適切な割合に関連した統計データ等の各種データを表示するサービスを提供できるようになる。
【００７６】
本実施形態においても、リーダ（２）および情報処理装置（３）などの詳細な構成は様々なものが可能であるが、ここで重要なことは、カード（４）がかざされたときに、そのかざされたリーダ（２）に対応した割合設定がなされるようになっている、つまりリーダ群（２０）があたかもカード（４）のみで操作可能な割合設定手段として機能することであり、それが可能な構成であれば特に限定されるものではない。
【００７７】
［第１０の実施形態］
図１０は、この出願の発明の別の一実施形態を示したものである。この実施形態では、各種データを表示するサービス提供媒体（１）としてのディスプレイの近傍に、複数のリーダ（２）がキーボード状配置という相互位置関係を持って配設されており、このキーボード状配置関係を持つリーダ群（２０）によって、表示される各種データに対する文字列入力が可能であることをカード所有者に直感的に知らせることができるようになっている。
【００７８】
より具体的には、たとえば、複数枚のキーボード状配置の各リーダ（２）にはそれぞれ「あ」〜「ん」を示す５０音データを設定し、リーダＩＤ記憶部（２２）に記憶させておき、情報処理装置（３）のサービスデータ記憶部（３２）には、入力された文字列データに対応する各種データを予め記憶させておく。仮にカード所有者が「○○○○」という文字列を入力させるためにカード（４）を適宜のリーダ（２）にかざすと、かざされた各リーダ（２）からそれぞれの５０音データが情報処理装置（３）のデータ入力部（３１）へ送られ、それに基づいて処理部（３４）は文字列「○○○○」に対応するデータをサービスデータ記憶部（３２）から読み出し、データ出力部（３３）からディスプレイに出力して表示させる。
【００７９】
これにより、カード所有者は、自己のカード（４）のみを用い、それをかざすだけという非常に簡単な操作で、カード情報とともに、文字列入力に対する意思情報をも提示でき、サービス提供者側は、これらカード情報および意思情報に基づいたより適切な各種データを表示するサービスを提供できるようになる。
【００８０】
本実施形態においても、リーダ（２）および情報処理装置（３）などの詳細な構成は様々なものが可能であるが、ここで重要なことは、カード（４）がかざされたときに、そのかざされたリーダ（２）に対応した文字列入力がなされるようになっている、つまりリーダ群（２０）があたかもカード（４）のみで操作可能な文字列入力キーボードとして機能することであり、それが可能な構成であれば特に限定されるものではない。
【００８１】
［第１１の実施形態］
図１１は、この出願の発明の別の一実施形態を示したものである。この実施形態では、各種データを表示するサービス提供媒体（１）としてのディスプレイの近傍に、複数のリーダ（２）が数値入力キーボード状配置という相互位置関係を持って配設されており、この数値入力キーボード状配置関係を持つリーダ群（２０）によって、表示される各種データに対する数値入力が可能であることをカード所有者に直感的に知らせることができるようになっている。
【００８２】
より具体的には、たとえば、複数枚の数値入力キーボード状配置の各リーダ（２）にはそれぞれ「０」〜「９」を示す数値データを設定し、リーダＩＤ記憶部（２２）に記憶させておき、情報処理装置（３）のサービスデータ記憶部（３２）には、入力された数値データに対応する各種データを予め記憶させておき、仮にカード所有者が「１００」という数値を入力させるためにカード（４）を適宜のリーダ（２）にかざすと、かざされた各リーダ（２）からそれぞれの数値データが情報処理装置（３）のデータ入力部（３１）へ送られ、それに基づいて処理部（３４）は数値「１００」に対応するデータをサービスデータ記憶部（３２）から読み出し、データ出力部（３３）からディスプレイに出力して表示させる。
【００８３】
これにより、カード所有者は、自己のカード（４）のみを用い、それをかざすだけという非常に簡単な操作で、カード情報とともに、各種選択や入力などに対する意思情報をも提示でき、サービス提供者側は、これらカード情報および意思情報に基づいたより適切な各種データを表示するサービスを提供できるようになる。
【００８４】
本実施形態においても、リーダ（２）および情報処理装置（３）などの詳細な構成は様々なものが可能であるが、ここで重要なことは、カード（４）がかざされたときに、そのかざされたリーダ（２）に対応した数値入力がなされるようになっている、つまりリーダ群（２０）があたかもカード（４）のみで操作可能な数値入力キーボードとして機能することであり、それが可能な構成であれば特に限定されるものではない。
【００８５】
［第１２、第１３の実施形態］
図１２および図１３は、各々、この出願の発明の別の一実施形態を示したものである。この実施形態では、各種データを表示するサービス提供媒体（１）としてのディスプレイの近傍に、複数のリーダ（２）が図１２では格子状配置、図１３ではランダム配置という相互位置関係を持って配設されており、これらの配置関係を持つリーダ群（２０）によって、表示される各種データに対する意思情報入力が可能であることをカード所有者に直感的に知らせることができるようになっている。
【００８６】
より具体的には、たとえば、格子状もしくはランダム配置の各リーダ（２）にはそれぞれ識別番号を設定し、リーダＩＤ記憶部（２２）に記憶させておき、情報処理装置（３）のサービスデータ記憶部（３２）には、入力された識別番号に対応する各種データを予め記憶させておき、カード（４）がかざされたリーダ（２）からその識別番号が情報処理装置（３）のデータ入力部（３１）へ送られ、それに基づいて処理部（３４）は識別番号に対応するデータをサービスデータ記憶部（３２）から読み出し、データ出力部（３３）からディスプレイに出力して表示させる。
【００８７】
これにより、カード所有者は、自己のカード（４）のみを用い、それをかざすだけという非常に簡単な操作で、カード情報とともに、数値入力に対する意思情報をも提示でき、サービス提供者側は、これらカード情報および意思情報に基づいたより適切な各種データを表示するサービスを提供できるようになる。
【００８８】
本実施形態においても、リーダ（２）および情報処理装置（３）などの詳細な構成は様々なものが可能であるが、ここで重要なことは、カード（４）がかざされたときに、そのかざされたリーダ（２）に対応した意思情報入力がなされるようになっている、つまりリーダ群（２０）があたかもカード（４）のみで操作可能な意思情報入力キーボードとして機能することであり、それが可能な構成であれば特に限定されるものではない。
【００８９】
もちろん、この出願の発明は以上の実施形態に限定されるものではなく、細部については様々な態様が可能である。
【産業上の利用可能性】
【００９０】
以上詳しく説明した通り、この出願の発明によって、カード所有者側は自己のカードのみを用いた簡単な操作でカード情報とともに意思情報をも提示でき、サービス提供者側はそれらカード情報および意思情報に基づいたより適切且つ高度なサービスを提供することのできる、サービス提供システムおよびカードリーダ配置方法が提供される。
【図面の簡単な説明】
【００９１】
【図１】この出願の発明の一実施形態を説明するための図であり、カードリーダ一列配置により音量調整可能とした場合のものである。
【図２】図１の実施形態のより詳細な機能ブロック図である。
【図３】この出願の発明の一実施形態を説明するための図であり、カードリーダ一列配置により光量調整可能とした場合のものである。
【図４】この出願の発明の一実施形態を説明するための図であり、カードリーダ一列配置により画像サイズ調整可能とした場合のものである。
【図５】この出願の発明の一実施形態を説明するための図であり、カードリーダ一列配置により室温調整可能とした場合のものである。
【図６】この出願の発明の一実施形態を説明するための図であり、カードリーダ一列配置により窓開閉調整可能とした場合のものである。
【図７】この出願の発明の一実施形態を説明するための図であり、カードリーダ十字配置によりメニュー選択可能とした場合のものである。
【図８】この出願の発明の一実施形態を説明するための図であり、カードリーダ円状配置により時刻設定可能とした場合のものである。
【図９】この出願の発明の一実施形態を説明するための図であり、カードリーダ円状配置により割合設定可能とした場合のものである。
【図１０】この出願の発明の一実施形態を説明するための図であり、カードリーダ文字入力キーボード状配置により文字列入力可能とした場合のものである。
【図１１】この出願の発明の一実施形態を説明するための図であり、カードリーダ数値入力キーボード状配置により数値入力可能とした場合のものである。
【図１２】この出願の発明の一実施形態を説明するための図であり、カードリーダ格子状配置の場合のものである。
【図１３】この出願の発明の一実施形態を説明するための図であり、カードリーダランダム状配置の場合のものである。
【符号の説明】
【００９２】
１  サービス提供媒体
２  非接触型カードリーダ
２０  非接触型カードリーダ
２１  カード情報読取部
２２  リーダＩＤ記憶部
２３  データ出力部
２４  処理部
２５  バス
３  情報処理装置
３１  データ入力部
３２  サービスデータ記憶部
３３  データ出力部
３４  処理部
３５  バス
４  非接触型カード
４１  カード情報記憶部
【図１】
2005135335.tif 000003
【図２】
2005135335.tif 000004
【図３】
2005135335.tif 000005
【図４】
2005135335.tif 000006
【図５】
2005135335.tif 000007
【図６】
2005135335.tif 000008
【図７】
2005135335.tif 000009
【図８】
2005135335.tif 000010
【図９】
2005135335.tif 000011
【図１０】
2005135335.tif 000012
【図１１】
2005135335.tif 000013
【図１２】
2005135335.tif 000014
【図１３】
2005135335.tif 000015